(57)【要約】【課題】簡単で経済的で便利である、フィルタカセットの組について補助クランプ付きの濾過装置を提供する。【解決手段】マニホールド（３）に対して可動的に取り付けられ、マニホールド（３）に対してカセット（２）を圧縮するように適応されるクランプ板（４）と、マニホールド（３）と板（４）との間に延在するロッド（６）を備えるクランプ板を駆動し、案内するための手段と、本体および本体に対して可動部材が設けられ、その部材が伸長位置と後退位置との間で所定の行程を通して移動するように適応され、本体がマニホールド（３）によって担持され、部材がロッド（６）を担持し、部材がその伸長位置に対して所定の行程よりも短い行程を通して移動している中間後退位置にあるクランプ位置まで、ロッド（６）を介して板（４）を駆動するアクチュエータとを備える、流体連通および機械式結合を可能にするマニホールド（３）を備える濾過装置に関する。【選択図】図４
2011240335.tif 000002
【特許請求の範囲】
【請求項１】
処理すべき流体用の少なくとも１つの流入口（１８）、処理済み流体用の少なくとも１つの流出口（１９）、ならびに前記処理すべき流体および前記処理済み流体を搬送するためのネットワークを備える流体連通および機械式結合を可能にするマニホールド（３、１０３、２０３）であり、前記搬送ネットワークに連通しているカセット供給ポートおよびカセット戻りポートがその支持面（２２、２２２）を通して現れるフィルタカセット（２、１０２、２０２）のための支持面（２２、２２２）を有し、そのカセット供給ポートおよびカセット戻りポートが、前記支持面（２２、２２２）に当接する前記フィルタカセット（２、１０２、２０２）に形成される導管（１１、１２、１３）に連通するように構成される前記マニホールド（３、１０３、２０３）と、
クランプ板（４、３４、２０４、２３４）と、
前記マニホールド（３、１０３、２０３）と前記クランプ板（４、３４、２０４、２３４）との間に延在する少なくとも１つのロッド（６、３６、１０６、２０６、２６６）によって、かつ本体（５２、２５２）および前記本体（５２、２５２）に対して可動部材（５３、２５３）が設けられる少なくとも１つのアクチュエータ（１０、２１０）によって形成される、前記支持面（２２、２２２）に平行でかつそれに面している前記クランプ板（４、３４、２０４、２３４）を駆動し、案内する手段であり、その可動部材（５３、２５３）が、伸長位置、および前記可動部材（５３、２５３）がその伸長位置に対して所定の行程を通して移動された後退位置を有し、それによってクランプ板（４、３４、２０４、２３４）は、前記板（４、３４、２０４、２３４）が少なくとも１つのフィルタカセット（２、１０２、２０２）の前記組から離れている開始位置、および前記板（４、３４、２０４、２３４）が接近され、前記マニホールド（３、１０３、２０３）に対して少なくとも１つのフィルタカセット（２、１０２、２０２）の前記組を圧縮するクランプ位置を有する手段とを備える一組の少なくとも１つのフィルタカセット（２、１０２、２０２）を有する濾過装置であって、
前記本体（５２、２５２）が、前記マニホールド（３、１０３、２０３）によって担持され、前記可動部材（５３、２５３）が、前記ロッド（６、３６、１０６、２０６、２６６）を担持し、前記アクチュエータ（１０、２１０）、前記ロッド（６、３６、１０６、２０６、２６６）、および前記クランプ板（４、３４、２０４、２３４）は、前記可動部材（５３、２５３）がその伸長位置に対して前記所定の行程よりも短い行程を通して移動している中間後退位置にあるそのクランプ位置まで、前記アクチュエータ（１０、２１０）が前記ロッド（６、３６、１０６、２０６、２６６）を介して前記クランプ板（４、３４、２０４、２３４）を駆動するように構成されることを特徴とする、濾過装置。
【請求項２】
前記ロッド（６、３６、１０６、２０６、２６６）および前記クランプ板（４、３４、２０４、２３４）は、前記クランプ板（４、３４、２０４、２３４）が前記ロッド（６、３６、１０６、２０６、２６６）に沿って選択的に配置され得るように構成されることを特徴とする、請求項１に記載の装置。
【請求項３】
前記２つのアクチュエータ（１０、２１０）および２つの前記ロッド（６、３６、１０６、２０６、２６６）を備え、前記ロッド（６、３６、１０６、２０６、２６６）が、このクランプ板（４、３４、２０４、２３４）の２つの対角に向かい合うゾーンに前記クランプ板（４、３４、２０４、２３４）によって受け入れられることを特徴とする、請求項１または２に記載の装置。
【請求項４】
前記アクチュエータ（１０、２１０）の本体（５２、２５２）が、前記マニホールド（３、１０３、２０３）に直接締結されることを特徴とする、請求項１から３のいずれか一項に記載の装置。
【請求項５】
前記マニホールド（３、１０３）が、前記マニホールド（３、１０３）のそれぞれ両側に配置される２つの支持面（２２、２３）、およびそれぞれの支持面（２２、２３）にそれぞれ面する２つのクランプ板（４、３４）を備え、前記クランプ手段が、前記クランプ板（４、３４）をそれぞれ移動させるために少なくとも１つの前記アクチュエータ（１０）および少なくとも１つの前記ロッド（６、３６、１０６）を備えることを特徴とする、請求項１から４のいずれか一項に記載の装置。
【請求項６】
前記アクチュエータ（２１０）の前記本体（２５２）が、前記マニホールド（２０３）に固定されるスリーブ（２６０）に可動的に取り付けられることを特徴とする、請求項１から３のいずれか一項に記載の装置。
【請求項７】
前記マニホールド（２０３）が、前記マニホールド（２０３）のそれぞれ両側に配置される２つの支持面（２２２、２２３）、およびそれぞれの支持面（２２２、２２３）にそれぞれ面する２つのクランプ板（２０４、２３４）を備え、クランプ手段が、少なくとも１つの前記アクチュエータ（２１０）、２つの前記クランプ板（２０４）のうちの一方に連結される少なくとも１つの前記ロッド（２０６）、前記アクチュエータ（２１０）の前記本体（２５２）と２つの前記クランプ板（２３４）のうちの他方との間に延在する少なくとも１つの追加ロッド（２６６）を備え、前記追加ロッド（２６６）が、前記本体（２５２）による第１の端部によって、および第１の端部と反対の端部にある第２の端部によって担持され、２つの前記クランプ板（２３４）のうちの他方を担持することを特徴とする、請求項６に記載の装置。
【請求項８】
前記ロッド（６、３６、１０６、２０６、２６６）が、その長さにわたって複数のノッチ（３０）を備えることを特徴とする、請求項１から７のいずれか一項に記載の装置。
【請求項９】
前記ロッド（６、３６、１０６、２０６、２６６）のノッチ（３０）の上に前記クランプ板（４、３４、２０４、２３４）をロックするための部材（７、３７）を備えることを特徴とする、請求項８に記載の装置。
【請求項１０】
前記マニホールド（３、１０３、２０３）によって担持され、前記クランプ板（４、３４、２０４、２３４）に形成される少なくとも１つの開口（３１）を通して延在する少なくとも１つのフィルタカセット（２、１０２、２０２）の前記組を保持し、案内するための少なくとも１つのロッド（５、３５、１０５）を備えることを特徴とする、請求項１から９のいずれか一項に記載の装置。
【請求項１１】
前記装置が、前記マニホールド（３、１０３、２０３）によって担持される前記クランプ板（４、３４、２０４、２３４）を支持するための少なくとも１つのロッド（８、３８、１０８）を備えることを特徴とする、請求項１から１０のいずれか一項に記載の装置。
【請求項１２】
スライドおよびヒンジを備える前記支持ロッド（８、３８、１０８）に前記クランプ板（４、３４）を取り付けるための手段（９、３９）を備え、それによって前記クランプ板（４、３４、２０４、２３４）が、支持ロッド（８、３８、１０８）に沿って摺動可動的であり、前記支持面（２２、２２２）に平行に起こされ、かつそれに面している作動構成と、折り畳まれ、前記ロッド（６、３６、１０６、２０６、２６６）から外れた保管構成とを有することを特徴とする、請求項１１に記載の装置。
【発明の詳細な説明】
【技術分野】
【０００１】
本発明は、一組の少なくとも１つのフィルタカセットを有する流体の濾過装置に関し、この流体は、たとえば生物学的液体、および特に、ただし排他的にではなく生物学的薬液である。
【背景技術】
【０００２】
欧州特許第０４９８２１１号明細書は、流体連通および機械式結合を可能にするマニホールドと、クランプ板と、そのそれぞれに沿ってクランプ板が摺動する４つのロッドと、マニホールドとクランプ板との間に配置される一組の少なくとも１つのフィルタカセットと、このマニホールドとこの板との間でフィルタカセットの組を圧縮するように締め付け、ロックするための手段とを備える濾過装置を記載している。
【０００３】
マニホールドは、処理すべき流体用の流入口と、濾過液と呼ばれる処理済み流体用の濾過液流出口と、保持液と呼ばれる処理済み流体用の保持液流出口と、処理すべき流体および処理済み流体用の搬送ネットワークとを備えている。さらに、このマニホールドは、搬送ネットワークに連通し、かつ支持面に当接するフィルタカセットに形成される導管に連通しているポートがそれを通じて現れる支持面を有する。
【０００４】
各ロッドは、マニホールドの支持面から現れ、クランプ板に向かって延在している。
【０００５】
クランプ板は、この板の角に実質的にそれぞれ形成され、それぞれのロッドにそれぞれ受け入れられる４つの貫通孔を介してロッドに可動的に取り付けられる。
【０００６】
各ロッドは、ねじ切りされており、４つのナットが、クランプ手段および係止手段を形成するようにそれぞれのロッドの上にそれぞれねじ込まれる。
【０００７】
ナットは、ロッドの上にねじ込まれて、カセットの組に対して板を締め付けて、フィルタカセットの組がクランプ板とマニホールドとの間に十分に圧縮される最終位置に到達する。
【０００８】
この装置の欠点は、フィルタカセットの組の締め付けが手動で行われることである。
【０００９】
この欠点を克服するための知られている解決策は、ねじ切りされたロッドの代わりにノッチ付きロッドを、およびナットの代わりに油圧アクチュエータおよびロックリングを備える濾過装置である。
【００１０】
各アクチュエータは、本体と、本体に対して可動部材とを備え、その可動部材は、伸長位置と、前記可動部材がその伸長位置に対して所定の行程を通して移動している後退位置とを有する。
【００１１】
これらのアクチュエータは、単動または複動のジャック型であり、本体に対する可動部材の移動は、知られている方法でこの可動部材を動かすことによって実現される。
【００１２】
各アクチュエータは、クランプ板に締結されるその本体と、ノッチ付きロッドに機械的に連結されるその可動部材とを備え、そのロッドは、クランプ板とマニホールドとの間を延在し、そこでこのロッドは、このマニホールドに形成される開口を通して受け入れられる。
【００１３】
各ロックリングは、それぞれのロッドのノッチに係合されるように適応される。
【００１４】
第１のステップは、その開始位置から、フィルタカセットの組がまだ圧縮されていない中間位置までクランプ板（およびアクチュエータ）を前進させることからなり、それぞれのノッチ付きロッドは、マニホールドの開口を通して摺動する。
【００１５】
第２のステップは、ロックリングを取り付けることによってロッドおよびマニホールドを連結することからなり、これは、ロッドのノッチのうちの１つに、マニホールドに対してロッドをロックするように分割される。
【００１６】
この割りリングは、クランプ板に面するマニホールドの側に対してマニホールドの反対の側に取り付けられる。
【００１７】
精密クランプに対応する第３のステップは、その伸長位置から、可動部材がその伸長位置に対して所定の行程よりも短い行程を通して移動している中間後退位置まで、これを通過させるように油圧的に可動部材を動かすことからなる。可動部材は、固定されているマニホールドにそれ自体が固定されるノッチ付きロッドに固定されるので、その結果、クランプ板は、その最終位置までアクチュエータの本体によって押される。
【先行技術文献】
【特許文献】
【００１８】
【特許文献１】欧州特許第０４９８２１１号明細書
【発明の概要】
【発明が解決しようとする課題】
【００１９】
アクチュエータ付きの知られている装置の欠点は、これらのアクチュエータの構成が装置の大きさを増大させることである。
【００２０】
本発明は、簡単で経済的で便利である、少なくとも１つのフィルタカセットの組について補助クランプ付きの濾過装置を提供することを目的としている。
【課題を解決するための手段】
【００２１】
このために、第１の態様によれば、本発明は、処理すべき流体用の少なくとも１つの流入口、処理済み流体用の少なくとも１つの流出口、ならびに前記処理すべき流体および前記処理済み流体を搬送するためのネットワークを備える流体連通および機械式結合を可能にするマニホールドであり、前記マニホールドは、前記搬送ネットワークに連通しているカセット供給ポートおよびカセット戻りポートがその支持面を通して現れる前記フィルタカセットのための支持面を有し、そのカセット供給ポートおよびカセット戻りポートは、前記支持面に当接する前記フィルタカセットに形成される導管に連通するように構成される前記マニホールドと、
クランプ板と、
前記マニホールドと前記クランプ板との間に延在する少なくとも１つのロッドによって、かつ本体および前記本体に対して可動部材が設けられる少なくとも１つのアクチュエータによって形成される、前記支持面に平行でかつそれに面している前記クランプ板を駆動し、案内する手段であり、その可動部材は、伸長位置と、前記可動部材がその伸長位置に対して所定の行程を通して移動された後退位置とを有し、それによってクランプ板は、前記板が少なくとも１つのフィルタカセットの前記組から離れている開始位置、および前記板が接近され、前記マニホールドに対して少なくとも１つのフィルタカセットの前記組を圧縮するクランプ位置を有する手段とを備える、一組の少なくとも１つのフィルタカセットを有する濾過装置であって、
前記本体は、前記マニホールドによって担持され、前記可動部材は、前記ロッドを担持し、前記アクチュエータ、前記ロッド、および前記クランプ板は、前記可動部材がその伸長位置に対して前記所定の行程よりも短い行程を通して移動している中間後退位置にあるそのクランプ位置まで、前記アクチュエータが前記ロッドを介して前記クランプ板を駆動するように構成される濾過装置に関する。
【００２２】
したがって、本発明による装置では、アクチュエータの本体を担持するのは、マニホールドである（クランプ板ではない）。
【００２３】
この構成により、ロッドの反対の側にクランプ板から突出するいかなるアクチュエータ本体もない。これにより、たとえば、長さでのアクチュエータ本体の大きさが厚さでのマニホールドの大きさに対して少なくとも部分的に重ねる場合には、本発明による装置は、特に、ただし排他的にではなくよりコンパクトにできるようになる。
【００２４】
さらに、この構成の場合、クランプ板およびロッドを分離する際にいかなる困難もなく、それにより、たとえば、マニホールドの支持面と平行でかつそれに面している以外の位置にクランプ板を配置することができ、その結果、カセットについて受入れゾーンへのアクセス可能性を改善できる。
【００２５】
その上に、アクチュエータの近位位置（遠位位置ではない）は、その供給導管の取付けに有利に働く。
【００２６】
特に簡単で便利で経済的である特徴によれば、前記ロッドおよび前記クランプ板は、前記クランプ板が前記ロッドに沿って選択的に配置され得るように構成される。
【００２７】
したがって、クランプ板は、まず第一にその開始位置から、フィルタカセットの組に対して非クランプ当接にある中間位置まで移動され、次いで、その最終位置まで可動部材によって駆動される。
【００２８】
もう１つの特に簡単で便利で経済的である特徴によれば、装置は、２つの前記アクチュエータおよび２つの前記ロッドを備え、前記ロッドは、このクランプ板の２つの対角に向かい合うゾーンに前記クランプ板によって受け入れられる。
【００２９】
したがって、クランプ板に、結果的にフィルタカセットにクランプ手段によって加えられる力は、この板の全表面にわたって、したがってカセットの全表面にわたって最適に分配される。
【００３０】
本発明による装置の好ましい簡単で便利で経済的である特徴によれば：
アクチュエータの本体は、マニホールドに直接締結され、かつ随意に、
マニホールドは、前記マニホールドのそれぞれ両側に配置される２つの支持面と、それぞれの支持面にそれぞれ面する２つのクランプ板とを備え、前記クランプ手段は、前記クランプ板をそれぞれ移動させるために少なくとも１つの前記アクチュエータ、および少なくとも１つの前記ロッドを備える。
【００３１】
クランプ手段、および特にマニホールドによって担持される各アクチュエータの構成により、流体連通および機械式結合を可能にするマニホールドのそれぞれ両側に一組のフィルタカセットを配置し、かつしかしながら装置の大きさを増大させることなく、このマニホールドのそれぞれの支持面に対してこれらを締め付けることができる。
【００３２】
正確には、流体連通を可能にするマニホールドの位置にいくつかのアクチュエータを取り付けることができ、そのアクチュエータは、マニホールドのそれぞれ両側に配置されるクランプ板に互いに向かってそれぞれ接近するように、流体連通および機械式結合を可能にするマニホールドの一方の側、および他方の側にそれぞれ作用する。
【００３３】
したがって、簡単で便利で経済的に生物処理面積を大いに増大させることができる。
【００３４】
当然、濾過面積を増大させるために、また、それらの入口および出口を連通して濾過装置を重ね合わせることもできる。次いで、２つの重ね合わされた濾過装置の間のシールを確実にするように注意が払われることになる。
【００３５】
したがって、フィルタカセットを濾過装置のそれぞれの少なくとも１つの側の上にして、上述したように少なくとも１つの濾過装置を備える処理設備を有することができるであろう。
【００３６】
したがって、この設備のユーザは、簡単で便利で経済的に行う処理に応じて各濾過装置の濾過面積を適応させることができる。
【００３７】
あるいは、同じ理由で好まれる他の特徴によれば：
アクチュエータの前記本体は、前記マニホールドに固定されるスリーブに可動的に取り付けられ、かつ随意に、
前記マニホールドは、前記マニホールドのそれぞれ両側に配置される２つの支持面と、それぞれの支持面にそれぞれ面する２つのクランプ板とを備え、クランプ手段は、少なくとも１つの前記アクチュエータと、２つの前記クランプ板のうちの一方に連結される少なくとも１つの前記ロッドと、前記アクチュエータの前記本体と２つの前記クランプ板のうちの他方との間に延在する少なくとも１つの追加ロッドとを備え、前記追加ロッドは、前記本体による第１の端部によって、および第１の端部と反対の端部にある第２の端部によって担持され、２つの前記クランプ板のうちの他方を担持する。
【００３８】
したがって、同じアクチュエータが、ロッドと、反対の側に設置される追加ロッドの両方を駆動する働きをする。
【００３９】
もう１つの好ましい特徴によれば、前記ロッドは、その長さにわたって複数のノッチを備えている。
【００４０】
ロッドのノッチの間隔は、規則的な、または規則的でない場合がある。ノッチの長さは、保持装置で使用されるフィルタカセットのタイプに依存する。さらに、ノッチの長さおよび間隔は、ジャックの行程、カセットのタイプおよび数、ならびに各カセットに許容される圧縮の程度に依存し、これは、その厚さの約１０％である。ノッチの長さに対応する値およびそれらの間隔は、流体の分布がフィルタカセット内で一様であるように決定される。カセットの数に関しては、これは、濾過装置の少なくとも１つの側の上に有することができる濾過面積に対応する。この濾過面積は、約１ｍ２から１０ｍ２まで、特に２．５ｍ２から７．５ｍ２までに及ぶことができる。濾過装置の１つの側から、１つまたは複数のフィルタカセットによって形成される濾過面積について約５ｍ２を利用できることが好ましい。
【００４１】
本発明による装置の他の好ましい簡単で便利で経済的である特徴によれば：
前記装置は、前記ロッドのノッチに前記クランプ板をロックするための部材を備え、
前記装置は、前記マニホールドによって担持され、前記クランプ板に形成される少なくとも１つの開口を通して延在する少なくとも１つのフィルタカセットの前記組を保持し、案内するための少なくとも１つのロッドを備え、
前記装置は、前記マニホールドによって担持される前記クランプ板を支持するための少なくとも１つのロッドを備え、かつ／または、
前記装置は、スライドおよびヒンジを備える前記支持ロッドに前記クランプ板を取り付けるための手段を備え、それによって、前記クランプ板は、支持ロッドに沿って摺動的に可動し、前記支持面に平行に骨組みされ（ｒａｉｓｅｄ）、かつそれに面している作動構成と、折り畳まれて、前記ロッドから外れた保管構成とを有する。
【００４２】
次いで、本発明の開示は、添付の図面を参照して、例示的かつ非限定的な例により下記で与えられる実施形態の説明によって続けられることになる。
【図面の簡単な説明】
【００４３】
【図１】クランプ板を保管構成にした、本発明の第１の実施形態による濾過装置の斜視図である。
【図２】図１のＩＩ−ＩＩによる断面図である。
【図３】クランプ板を、これがフィルタカセットに対してまだ締め付けられていない開始位置にした、図１と同様な図である。
【図４】クランプ板をクランプ位置にした、装置の側面図である。
【図５】クランプ板をクランプ位置にした、本発明の第２の実施形態による装置の斜視図である。
【図６】本発明の第３の実施形態による装置の概略図である。
【発明を実施するための形態】
【００４４】
図１は、流体連通および機械式結合を可能にするマニホールド３と、マニホールド３とこの板４との間にフィルタカセット２の組を締め付けるようにマニホールド３の第１の側に設けられるクランプ板４と、ダミーカセット２６（図４）を締め付けるように第１の側の反対側にあるマニホールド３の第２の側に設けられるもう１つのクランプ板３４とを備えるフィルタカセット２を有する濾過装置１を示しており、ノッチ付きロッド６、３６によって形成される各板４、３４を駆動するための手段が、アクチュエータ１０によって担持され（図２）、各板４、３４は、マニホールド３のそれぞれの支持面に平行でかつそれに面している作動構成（図３および図４）に配置され、それぞれのロッド６、３６に取り付けられる。
【００４５】
ロック部材７、３７は、板４、３４がフィルタカセット２の組に対して反対の方向に移動しないようにノッチ付きロッド６、３６に取り付けられる（図４）。
【００４６】
装置１は、マニホールド３のそれぞれの側に、それぞれのクランプ板４、３４を支持するためのロッド８、３８と、これらを摺動させ、かつ保管構成（図１）から作動構成（図３および図４）までこれらを通過させるように、それぞれの板４、３４を取り付けるための手段９、３９とをさらに備えている。
【００４７】
装置１は、フィルタカセット２およびダミーカセット２６をそれぞれ保持し、案内するためのロッド５、３５をマニホールド３のそれぞれの側にさらに備えている。
【００４８】
説明された例では、装置１は、接線濾過による処理のための設備の一部を形成している。
【００４９】
接線濾過では、処理すべき流体が、供給導管１１によってフィルタカセット２に入り（図１３）、保持液と呼ばれる流体の第１の小部分が、各フィルタカセット２の膜（図示せず）に接線方向に流れ、濾過液と呼ばれる流体の第２の小部分が、各フィルタカセット２の膜を通過し、保持液に直角に流れ、次いで、濾過液および保持液は、それぞれ濾過液出口導管１２および保持液出口導管１３を介してフィルタカセット２を出て行く。
【００５０】
したがって、用途のタイプに応じて、処理済み流体、たとえば濾過液または保持液の異なる小部分を回収することができる。
【００５１】
フィルタカセット２は、これらの面のそれぞれに同じ処理すべき流体の導管１１、同じ濾過液の導管１２および同じ保持液の導管１３のある、同一の対向する面を有することに留意されたい（図１）。
【００５２】
流体連通および機械式結合を可能にするマニホールド３は、実質的に平行六面体の形状を有し、ステンレス鋼の機械部分、およびプラスチック材料の流体部分が設けられ、機械部分は、流体部分を収容する空間を備えている。
【００５３】
マニホールド３は、互いに面する２つの翼部１５をそれぞれ有する２つの側材１４と、２つの翼部１５を連結する側壁とを備えている。
【００５４】
側材１４の高さは、マニホールド３の高さと少なくとも同等であり、各側材１４の２つの翼部１５の間の空間は、このマニホールド３の機械部分の空間の中へ摺動によってその導入ができるようにこの流体部分の深さと同等である。
【００５５】
流体部分がこの空間の中に挿入されると、上壁１６が、マニホールド３の流体部分の上面に配置され、次いで、マニホールド３の機械部分の中に挿入される４本の固定ねじ１７によってねじ込まれる。
【００５６】
マニホールド３の流体部分の上面に、処理すべき流体用の流入口１８、濾過液流出口１９および保持液流出口２０が形成されている。
【００５７】
各入口１８、出口１９および出口２０の周りに、処理設備の他の部分までまたはそれから流体を搬送するために、シール（図示せず）および管、たとえば剛性のあるステンレス鋼や可撓性プラスチック管を受け入れるように適応されるそれぞれの環状溝（図示せず）が形成される。
【００５８】
これらの入口１８、出口１９および出口２０の上に管を締結することは、上壁１６に取り付けられるユニット２１を連結することによって行われる。
【００５９】
また、このマニホールド３には、上面にこれらと同様の流入口および流出口が形成される下面、ならびに同じ環状溝、および下部壁に取り付けられる同じ締結ユニットが設けられる（図示せず）。
【００６０】
これらの入口および／または出口のうちの１つを塞ぐことを望む場合には、その環状リムがこれらの環状溝のうちの１つの中に導き入れられるプラグを挿入することで十分である。
【００６１】
流入口１８、濾過液流出口１９、および保持液流出口２０は、マニホールド３の処理すべき流体用の流入口導管、濾過液流出口導管、および保持液流出口導管にそれぞれ属する。
【００６２】
これらの導管は、少なくとも高さの主要部分にわたって、マニホールド３のプラスチック材料の流体部分を機械加工によって、特にボーリング加工することによって形成される。
【００６３】
マニホールド３は、その第１の側に、フィルタカセット２が当接するようになる第１の支持面２２をさらに備えている。
【００６４】
この第１の支持面２２上に、処理すべき流体用のカセット供給ポート、カセット濾過液戻りポート、およびカセット保持液戻りポート（図示せず）が現れ、さらに、これらのポートのそれぞれは、流入口導管、濾過液流出口導管、および保持液流出口導管の中にそれぞれ現れる。
【００６５】
マニホールド３は、その第２の側に、ダミーフィルタカセット２６が当接するようになる第２の支持面２３をさらに備えている。
【００６６】
この第２の支持面２３には、いかなるポートも現れない。
【００６７】
流体連通および機械式結合を可能にするマニホールド３は、締結ねじ２５によって締結される支持板２４の上に載っている。この支持板２４は、処理設備、たとえばこの設備のカートに取り付けられるように適応される。
【００６８】
流体連通および機械式結合を可能にするマニホールド３の第１の側および第２の側のそれぞれの上に、フィルタカセット２を保持し、案内するための４つのロッド５、３５が、それぞれの翼部１５にそれぞれ対になって１つの端部にねじ込まれる。
【００６９】
マニホールド３の各翼部１５から突出する２つのそれぞれの保持および案内ロッド５および３５は、それぞれ、フィルタカセット２の組およびダミーカセット２６がこれらのそれぞれのロッド５、３５によって保持され得るように重ね合わされる。
【００７０】
このために、各フィルタカセット２は、その幅のそれぞれの反対の側に、底部において側材１４の底部から突出するロッド５の形状に対して相補形の形状を有する半環状窪み２７と、頂部において側壁の頂部から突出するロッド５に載っているラグ２８とを備えている。
【００７１】
当然、ダミーカセット２６には、フィルタカセット２と同じラグおよび窪みが設けられる。
【００７２】
フィルタカセット２およびダミーカセット２６を保持し、案内するためのこれらのロッド５、３５は、これらのカセット２、２６がこれらのロッド５、３５上を容易に摺動できるように滑らかである。
【００７３】
マニホールド３の第１の側および第２の側から、それぞれの板４、３４を支持するための各ロッド８、３８が、マニホールド３のそれぞれの側材１４の中に近位端によってねじ込まれ、マニホールド３の他の遠位端は、ワッシャおよびナットによってそれぞれ形成されるそれぞれの当接部２９、３３を備えている。
【００７４】
それぞれの板４、３４を支持するための滑らかなロッド８、３８のそれぞれに、各板４、３４用のそれぞれの取付け手段９、３９が可動的に取り付けられる。
【００７５】
各取付け手段９、３９は、スライドを形成するようにそれぞれのロッド８、３８が通過する中央開口が設けられるリングの形状を有する。
【００７６】
したがって、各取付け手段９、３９は、マニホールド３とそれぞれの当接部２９、３３との間でそれぞれのロッド８、３８の上を自由に摺動できる。
【００７７】
各取付け手段９、３９は、ヒンジを形成するようにこの取付け手段９、３９を半径方向に通過する開口の中に挿入される回転軸４０をさらに備える。
【００７８】
各板４、３４は、このそれぞれの板４、３４を枢動するためにそれぞれの取付け手段９、３９の回転軸４０にそれぞれ取り付けられる２つの脚部４１を備える。
【００７９】
各板４、３４は、下記で説明されるように、保管構成から作動構成まで非常に簡単に通すことができる。
【００８０】
各取付け手段９、３９は、それぞれのクランプ板４、３４用の当接ピン４３が挿入される開口が通過する突起部４２をさらに備えている。
【００８１】
各ピン４３は、それぞれの板４、３４がその保管構成において水平であることができるようにする。
【００８２】
マニホールド３は、第３の側、および第３の側と反対の側にある第４の側を有し、これは、側材１４によって形成され、装置は、締結ねじ５１を介して、これらの側材１４のそれぞれに締結されるケーシング５０を備えている。
【００８３】
説明された例では、各ケーシング５０は、流体連通および機械式結合を可能にするマニホールド３の第２の側に向かって僅かにオフセットされている。
【００８４】
各ケーシング５０は、２つのアクチュエータ１０を備え、下記で説明するように、その一方は、マニホールド３の第１の側に作用し、他方は、マニホールド３の第２の側に作用する。
【００８５】
図２は、マニホールド３の第３の側のケーシング５０をより詳細に示しており、各アクチュエータ１０は、チャンバ５４を備える本体５２と、ロッドによって延在される可動的なピストン５３とを備え、このピストン５３は、伸長位置と、可動的なピストンがその伸長位置に対して所定の行程を通して移動される後退位置とを有する。
【００８６】
図２では、アクチュエータ１０は、後退位置について示されている。
【００８７】
アクチュエータ１０は、ここでは平行に配置される複動の油圧ジャッキである。これらの供給のために、各ケーシング５０は、２つの油圧コネクタ５５を備えている（図１）。
【００８８】
一方のコネクタ５５により、圧力下の液体は、行程の終わりにあるその伸長位置に可動的なピストン５３を動かすようにチャンバ５４の第１の部分の中に送ることができるようになる。
【００８９】
他方のコネクタ５５により、圧力下の液体は、チャンバ５４の第２の部分の中に送ることができるようになり、この第２の部分は、その後退位置において行程位置の他の端部に可動的なピストン５３を動かすように第１の部分に向い合せになっている。
【００９０】
また、図２で見ることができるように、クランプ板４および３４を駆動するために設けられるアクチュエータ１０は、それぞれのケーシング５０に対になって重ね合わせ配置にある。
【００９１】
したがって、装置１の大きさは、この配置のために極端に縮小され得る。
【００９２】
図２でやはり見ることができるように、ノッチ付きロッド６および３６は、それぞれの可動的なピストン５３を延在するロッドに設けられるそれぞれの窪み５６の中に１つの端部においてねじ込まれ、底部のアクチュエータ１０の可動的なピストン５３は、マニホールド３の第１の側から延在するロッド６を駆動し、頂部のアクチュエータ１０の可動的なピストン５３は、マニホールド３の第２の側のノッチ付きロッド３６を駆動する。
【００９３】
マニホールド３の第４の側のケーシング５０では、頂部のアクチュエータは、マニホールド３の第１の側から延在するロッド６までその可動的なピストンを延在するロッドを介して連結され、底部のアクチュエータは、マニホールド３の第２の側から延在するロッド３６までその可動的なピストンを延在するロッドを介して連結される。
【００９４】
図１で詳細に見られるように、フィルタカセット２およびダミーカセット２６がそれぞれ配置される流体連通および機械式結合を可能にするマニホールド３の第１の側および第２の側において、それぞれのノッチ付きロッド６および３６は、対角に向い合せに配置される。
【００９５】
各ノッチ付きロッド６および３６は、その長さにわたって規則的に間隔を置いて配置されるノッチ３０を有する。
【００９６】
ノッチの長さは、使用されるフィルタカセット２のタイプに依存し、これらのノッチの間隔は、アクチュエータ１０の本体５４内の可動的なピストン５３の行程、フィルタカセット２のタイプおよび数、ならびに各フィルタカセット２が許容し得る圧縮の程度に依存する。
【００９７】
クランプ板４および３４はそれぞれ、それぞれの保持および案内ロッド５および３５を受け入れるように設けられる４つの第１の貫通孔３１を備えている。
【００９８】
クランプ板４および３４は、対角に向かい合う配置に、およびそれぞれのノッチ付きロッド６および３６を受け入れるように設けられる、２つの第２の貫通孔３２をさらに備えている。
【００９９】
説明された例では、マニホールド３の第１の側から、およびマニホールド３の第２の側からそれぞれ延在するロッド５、６および８および３５、３６および３８は、それらの長さがさらに異なり、第１の側のロッドは、第２の側のロッドよりも長い。
【０１００】
第１のステップでは、ユーザが、流体連通および機械式結合を可能にするマニホールド３の第１の側に、ロッド５にフィルタカセット２を取り付け、マニホールド３の第２の側にダミーカセット２６を取り付ける。
【０１０１】
このステップの間、それぞれのクランプ板４および３４は、それらの保管構成にあり、すなわち、それぞれの取付け手段９、３９は、マニホールド３に近くにあり、板４および３４は、それぞれの支持ロッド８および３８の下に移動されるようにそれぞれ水平である。
【０１０２】
いったんフィルタカセット２の組およびダミーカセット２６が取り付けられると、それぞれのクランプ板４および３４は、それぞれのロッド８および３８のそれぞれの当接部２９および３３に向かって摺動することによって移動され、次いで、各クランプ板４および３４は、これをその作動構成に持ってくるように支持面２２、２３に平行に骨組みされかつそれに面している。
【０１０３】
次いで、クランプ板４および３４は、これらがそれぞれフィルタカセット２の組から離れ、およびダミーカセット２６から離れているこれらの開始位置にある。
【０１０４】
次に、クランプ板４は、マニホールド３から最も遠くにあるフィルタカセット２に対して非クランプ当接になるまで、ロッド８のそれぞれの上に取付け手段９を摺動させることによって移動される。
【０１０５】
したがって、クランプ板は、その主だった内部表面４５がフィルタカセット２に対して当接状態になる中間位置にある。
【０１０６】
同時に、クランプ板３４は、ダミーカセット２６に対して非クランプ当接にあるこのクランプ板３４の中間位置までロッド３８の上に取付け手段３９を摺動させることによって移動される。
【０１０７】
ちょうどその時に、各アクチュエータ１０は、伸長位置にそのそれぞれの可動的なピストン５３を有する。
【０１０８】
次いで、ロック部材７および３７は、フィルタカセット２の組およびダミーカセット２６のそれぞれ反対の側に、それぞれのクランプ板４および３４の直近状態になるノッチ３０に取り付けられる。
【０１０９】
これらのロック部材７および３７は、ノッチ３０の位置においてそれぞれのロッド６、３６に取り付けられるように各リング７、３７のための十分な間隔を作り出す割りリングの形状を有し、かつこのノッチ３０の位置において所定の位置に留まるように適切な厚さを有する。
【０１１０】
したがって、各ロック部材７、３７は、そのそれぞれのロッド６、３６の上に締結され、したがって、それぞれのクランプ板４、３４は、これらの部材７、３７によってそれぞれ形成されると当接部と向かい合う。
【０１１１】
次いで、アクチュエータ１０の可動的なピストン５３は、それらの後退位置に向かって動かされる。
【０１１２】
したがって、これらの可動的なピストン５３は、ロッド６、３６と、その結果として板４および３４とを駆動し、この板４および３４は、これらのクランプ板４および３４がそれぞれマニホールド３の第１の支持面２２に対してフィルタカセット２の組およびマニホールド３の第２の支持面２３に対してダミーカセット２６を圧縮する、クランプ板４および３４のクランプ位置に、これらのロッドの上で摺動することを防止するようにロック部材７、３７を介してロックされる。
【０１１３】
クランプ板４および３４のこれらのクランプ位置では、それぞれのアクチュエータ１０の可動的なピストン５３は、各可動的なピストン５３がその伸長位置に対して所定の行程よりも短い行程を通して移動している中間後退位置にある。
【０１１４】
いかなる実際のフィルタカセットもないマニホールド３の第２の側にダミーカセット２６を使用すると、有利には、濾過装置１のカセットの組全体を締め付けることさえ行うことができ、したがって、行われる処理の品質を改善することができる。
【０１１５】
フィルタカセット２の組および／またはダミーカセット２６を取り外すために、それぞれのクランプ板４および３４を分離することによってフィルタカセット２の組およびダミーカセット２６をもはや圧縮下に配置しないように、それらの伸長位置に向かって可動的なピストン５３を動かすことによって反対方向に操作され、次いで、ロック部材７および３７が取り外され、次いで、クランプ板４および３４が、それぞれのロッド８および３８の上で取付け手段９および３９を摺動させることによって当接部２９および３３まで移動される。
【０１１６】
また、ユーザは、装置１を清浄し、それぞれの板４、３４を折り畳んで、それらの保管構成にそれらを置くことができる。
【０１１７】
また、ユーザは、このフィルタカセット２の組を圧縮させておきながら、装置１、および特にマニホールド３およびフィルタカセット２の組を清浄することができる。
【０１１８】
図５は、濾過装置の第２の実施形態を示している。
【０１１９】
概して、同じ参照番号が、同様な部品に使用されるが、１００だけ増やされている。
【０１２０】
図１から図４までに示される濾過装置１と対照的に、図５に示される濾過装置１０１は、流体連通および機械式結合を可能にするマニホールド１０３の第１の側および第２の側に、濾過面積が増大されるように一組のフィルタカセット１０２を備えている。
【０１２１】
したがって、この実施形態ではもはやいかなるダミーカセットもない。
【０１２２】
アクチュエータを備えるケーシング１５０は、マニホールド１０３の第２の側に向かってオフセットされるのではなくて、それぞれの側材１１４に対して中央に締結される。
【０１２３】
したがって、マニホールド１０３の第１の側および第２の側は、互いについて鏡像である。
【０１２４】
このことは、支持ロッド１０８、保持および案内ロッド１０５、ならびにノッチ付きロッド１０６が、マニホールド１０３のこれらの第１の側および第２の側の両方に見いだされることになり、これらのロッドが、同じ長さを有することを意味する。
【０１２５】
カセット１０２を定位置に置くこと、およびそれのクランプ作業は、上述したのと同じ方法で行われる。
【０１２６】
図６は、濾過装置の第３の実施形態を示している。
【０１２７】
概して、第１の実施形態の場合と同様な部品については、同じ参照番号が使用されているが、２００だけ増やされている。
【０１２８】
図５に示される濾過装置１０１と対照的に、図６に示される濾過装置２０１は、いわゆるフローティングアクチュエータ２１０を備えている。
【０１２９】
このアクチュエータ２１０は、流体連通および機械式結合を可能にするマニホールド２０３の第３の側に締結されるスリーブ２６０に可動的に取り付けられる。
【０１３０】
アクチュエータ２１０は、スリーブ２６０に可動的に取り付けられる本体２５２、およびこの本体２５２に対して可動的なピストン２５３を備えている。
【０１３１】
本体２５２は、このアクチュエータ２１０の工程を決定するように、スリーブ２６０のそれぞれの反対の側に配置される当接部２６２および２６３をさらに備えている。
【０１３２】
ノッチ付きロッド２０６は、アクチュエータ２１０の本体２５２に第１の端部によって締結され、マニホールド２０３の第１の側のクランプ板２０４に、第１の端部と反対の端部である第２の端部によって連結される。
【０１３３】
追加のノッチ付きロッド２６６は、アクチュエータの可動的なピストン２５３に第１の端部によって締結され、マニホールド２０３の第２の側のクランプ板２３４に、第１の端部と反対の端部である第２の端部によって連結される。
【０１３４】
この場合には、本体２５２は、それがマニホールド２０３の第１の支持面２２２にフィルタカセット２０２の組を圧縮するそのクランプ位置まで、クランプ板２０４を駆動するノッチ付きロッド２０６を駆動し、可動的なピストン２５３は、それがマニホールド２０３の第２の支持面２２３にフィルタカセット２０２の組を圧縮するそのクランプ位置まで、クランプ板２３４を駆動する追加のノッチ付きロッド２６６を駆動する。
【０１３５】
説明された例では、単一のアクチュエータ２１０は、流体連通および機械式結合を可能にするマニホールド２０３の第３の側に表されている。
【０１３６】
例示されていない変形例では、濾過装置は、流体連通および機械式結合を可能にするマニホールド２０３の第３の側および第４の側のそれぞれに配置されるアクチュエータ２１０を備えている。
【０１３７】
例示されていないさらに他の変形例では：
マニホールドの流体部分は、プラスチック材料ではなくてステンレス鋼からなり、
マニホールドの機械部分は、ステンレス鋼ではなくてプラスチック材料からなり、
マニホールドの機械部分および流体部分は、プラスチック材料、たとえばポリスルホン（ＰＳＵ）またはポリオキシメチレン（ＰＯＭ）からなり、
ただ１つのクランプ板だけが設けられ、
アクチュエータ本体または複数の本体は、たとえば１つの端部によりマニホールドに締結されることによってマニホールドの厚さに対して重ならない長さからなり、
油圧アクチュエータは、単動もしくは複動の空気圧アクチュエータによって置き換えられ、または流体以外の種類、たとえば電気によるものからなり、
フィルタカセットは、ラグを備えるのではなくて、いくつかの追加の窪みが設けられ、これらのカセットは、たとえば、Ｍｉｌｌｉｐｏｒｅ社から入手できるＰｅｌｌｉｃｏｎ（Ｒ）タイプからなり、
クランプ板は、この支持ロッドに取り付けられる取付け手段によって支持ロッドに連結されるのではなくて、可動的であり、
マニホールドは、機械加工によってではなくて成形によって形成され、その流入口、流出口、導管、カセット供給ポート、カセット濾過液戻りポート、およびカセット保持液戻りポート、射出成型によって形成され、
濾過装置は、一方が上面にあり他方が下面にある２つの濾過液流出口ポートを使用し、その場合２つの濾過液出口ポートのうちの１つはドレインとして働き、
カセットの組を保持し、案内するための２つのロッドだけが、流体連通および機械式結合を可能にするマニホールド２０３の第１の側および第２の側のうちの少なくとも１つに配置され、
実施されるのは接線濾過ではなくて、たとえばＭｉｌｌｉｐｏｒｅ社から入手できるＰＯＤ（Ｒ）タイプの一組の少なくとも１つのカセットが使用されるデッドエンド濾過、さもなければ、Ｍｉｌｌｉｐｏｒｅ社から入手できるＭＡＧＮＵＳ（Ｒ）タイプの一組の少なくとも１つのカセットが使用されるウイルスの濾過である。
【０１３８】
例示されていないさらに他の変形例では、処理設備は、重ね合わされる上で説明されたようないくつかの濾過装置、および各濾過装置につて流体連通を可能にするマニホールドの少なくとも１つの側にフィルタカセットの組を備えている。したがって、流入口および流出口にいくつかのマニホールドを連結することが必要である。これらの組立体は、これらの入口および／または出口の周りに形成される溝の位置において２つのマニホールドの間の各接続箇所にシール手段を必要とする。
【０１３９】
したがって、この処理設備の要求に合致するように非常に簡単に濾過表面を適応させることができる。
【０１４０】
より一般的には、本発明は、説明され表現された例に限定されないことに留意すべきである。
【符号の説明】
【０１４１】
１、１０１、２０１  濾過装置
２、１０２、２０２  フィルタカセット
３、１０３、２０３  マニホールド
４、３４、２０４、２３４  クランプ板
５、６、８、３５、３６、３８、１０５、１０６、１０８、２０６、２６６  ロッド
７、３７  ロック部材、リング
９、３９  取付け手段
１０、２１０  アクチュエータ
１１  供給導管
１２  濾過液出口導管
１３  保持液出口導管
１４、１１４  側材
１５  翼部
１６  上壁
１７  固定ねじ
１８  流入口
１９  濾過液流出口
２０  保持液流出口
２１  ユニット
２２  第１の支持面
２３、２２３  第２の支持面
２４  支持板
２５  締結ねじ
２６  ダミーカセット
２７  半環状窪み
２８  ラグ
２９、３３  当接部
３０  ノッチ
３１、３２  貫通孔
４０  回転軸
４１  脚部
４２  突起部
４３  当接ピン
４５  内部表面
５０、１５０  ケーシング
５２、２５２  本体
５３、２５３  ピストン
５４  チャンバ
５５  油圧コネクタ
５６  窪み
２６０  スリーブ
２６２、２６３当接部
【図１】
2011240335.tif 000003
【図２】
2011240335.tif 000004
【図３】
2011240335.tif 000005
【図４】
2011240335.tif 000006
【図５】
2011240335.tif 000007
【図６】
2011240335.tif 000008
【外国語明細書】
2011240335000001.pdf